(57)【要約】  【目的】  収容する筆記体の材質にかかわらず、軸筒の内径を太くすることなく筆記体の出没ができ、長期間使用した場合であっても不具合を生じることがない多芯筆記具を提供する。  【構成】  先端を開口する軸筒２内に複数の筆記体６を前後方向へ移動可能に収容し、出没操作によって選択的に一本の筆記体６が前進してペン先６１を軸筒２の先端開口部４１より突出する多芯筆記具１であって、前記軸筒２が、少なくとも軸筒本体３と先端開口部４１を有する先軸４との二部材から構成される。前記先軸４が軸筒本体３の軸心周りの回転を可能に軸筒本体３と接続される。先端開口部４１を軸筒本体３の軸心から偏心させ、先軸内壁が前記先端開口部４１に向かってテーパー状に形成される。先軸内壁に筆記体６が接触することによって先軸４が軸筒本体３に対して回転する。  【選択図】  図１
2010094918.tif 000002
【特許請求の範囲】
【請求項１】
先端を開口する軸筒内に複数の筆記体を前後方向へ移動可能に収容し、出没操作によって選択的に一本の筆記体が前進してペン先を軸筒の先端開口部より突出する多芯筆記具であって、前記軸筒が、少なくとも軸筒本体と先端開口部を有する先軸との二部材から構成され、前記先軸が軸筒本体の軸心周りの回転を可能に軸筒本体と接続されると共に、先端開口部を軸筒本体の軸心から偏心させ、先軸内壁が前記先端開口部に向かってテーパー状に形成され、先軸内壁に筆記体が接触することによって先軸が軸筒本体に対して回転することを特徴とする多芯筆記具。
【請求項２】
前記先軸内壁が、軸筒本体の軸線に対する角度が異なるテーパー面を有する略円錐面であることを特徴とする請求項１記載の多芯筆記具。
【請求項３】
前記テーパー面の角度が、筆記体が前進する際にペン先先端と接触しない角度に設定されることを特徴とする請求項２記載の多芯筆記具。
【請求項４】
前記筆記具が、各筆記体の後端に操作部を備えた操作体を連結し、軸筒の側壁に前後方向に延びる複数の窓孔を径方向に貫設し、前記各窓孔から径方向外方に前記各操作体の操作部を突出させたスライド操作式筆記具であり、前記窓孔後方が開閉自在な開口部を備え、前記開口部を介して筆記体及び操作体を軸筒内から取出可能且つ軸筒内に挿入可能に構成されることを特徴とする請求項１乃至３のいずれかに記載の多芯筆記具。
【発明の詳細な説明】
【技術分野】
【０００１】
本発明は、多芯筆記具に関する。詳細には、軸筒内に複数の筆記体を収容し、出没操作によって選択的に一本の筆記体のペン先を軸筒先端から突出する多芯筆記具に関する。
【背景技術】
【０００２】
従来、この種の多芯筆記具においては、軸心に先端開口部を備えると共に、複数の筆記体を径方向で均等な位置に収容しており、使用時（筆記体前方移動時）には、前記筆記体を撓ませることでペン先を軸心方向に向け、前記開口部から該ペン先を突出させる構造がとられている。
これに対して、金属等の撓ませることが困難な材質で形成された筆記体を用いた場合、軸筒の内径を太くして前記筆記体を傾斜状態（即ち、ペン先が先端開口部に向かう位置）で組み付けることにより構成される、或いは、先端開口部を偏心位置に形成し、後端の摘みを回転させることで各筆記体のペン先を前記開口部の軸方向延長上に移動させた後に出没操作を行う構造が開示される（例えば特許文献１）。
しかし、前記筆記具は、使用する度に二段階の操作（即ち、ペン先と開口部の位置合わせ及び出没操作）が必要となるため構造が複雑になると共に操作性が悪いものであった。
そこで、出没操作と同時に口先部（軸筒前方）が可動するように、口先部と軸筒本体とを弾性体からなる蛇腹部材で接続して口先部を揺動可能に形成したものが開示されている（例えば特許文献２、３）。
【特許文献１】実公昭５９−２３０３５号公報
【特許文献２】特開平１０−２３６０７４号公報
【特許文献３】特開２００２−２９３０８８号公報
【発明の開示】
【発明が解決しようとする課題】
【０００３】
前記特許文献２や３の筆記具は軸筒内径を太くすることなく、一段階の操作で開口部（口先部）の移動とペン先の突出が可能であるため、利便性の高い筆記具を構成できるものであるが、ペン先収納状態で口先部に強い負荷がかかった場合や、長期間の使用で弾性体が劣化した場合には、前記蛇腹部材が破損する虞があった。
【０００４】
本発明は、収容する筆記体の材質にかかわらず、軸筒の内径を太くすることなく筆記体の出没ができ、前述の長期使用による不具合を解消できる多芯筆記具を提供するものである。尚、本発明において、「前」とはペン先側を指し、「後」とは反対側を指す。
【課題を解決するための手段】
【０００５】
本発明は、先端を開口する軸筒内に複数の筆記体を前後方向へ移動可能に収容し、出没操作によって選択的に一本の筆記体が前進してペン先を軸筒の先端開口部より突出する多芯筆記具であって、前記軸筒が、少なくとも軸筒本体と先端開口部を有する先軸との二部材から構成され、前記先軸が軸筒本体の軸心周りの回転を可能に軸筒本体と接続されると共に、先端開口部を軸筒本体の軸心から偏心させ、先軸内壁が前記先端開口部に向かってテーパー状に形成され、先軸内壁に筆記体が接触することによって先軸が軸筒本体に対して回転することを要件とする。
更に、前記先軸内壁が、軸筒本体の軸線に対する角度が異なるテーパー面を有する略円錐面であることや、前記テーパー面の角度が、筆記体が前進する際にペン先先端と接触しない角度に設定されることや、前記筆記具が、各筆記体の後端に操作部を備えた操作体を連結し、軸筒の側壁に前後方向に延びる複数の窓孔を径方向に貫設し、前記各窓孔から径方向外方に前記各操作体の操作部を突出させたスライド操作式筆記具であり、前記窓孔後方が開閉自在な開口部を備え、前記開口部を介して筆記体及び操作体を軸筒内から取出可能且つ軸筒内に挿入可能に構成されることを要件とする。
【発明の効果】
【０００６】
本発明の請求項１により、ペン先が突出する際に先軸が回転して先端開口部が筆記体（ペン先）の軸心延長上前方に位置するため、収容する筆記体の材質（金属や硬質樹脂等）にかかわらず軸筒の内径を太くすることなく、ワンアクションで選択した筆記体のペン先を先端開口部から突出させることができる、操作性、長期使用性に優れた多芯筆記具となる。
【０００７】
請求項２により、ペン先の前進に伴って先軸がスムーズに回転して先端開口部が前記ペン先を備えた筆記体の軸心延長上前方に確実に位置するように移動できる。
【０００８】
請求項３により、筆記体が前進する際にペン先が先軸内壁（テーパー面）と接触することなく先軸を回転させることが可能となるため、インキ等で先軸内を汚すことがなくなる。そのため、透明材料を用いた場合であっても意匠性を損なうことなく長期に亘って使用できる。
【０００９】
請求項４により、ユーザーが任意に選択した筆記体を収容できる構造の多芯筆記具であても、筆記体（特にインキ収容体やシャープ芯収容筒）の材質に関わらず、軸筒の内径を太くすることなく構成できる。
【発明を実施するための最良の形態】
【００１０】
図１乃至図３に本発明の実施の形態を示す。
本実施の形態の多芯筆記具１は、軸筒２内に複数本（具体的には２本）の筆記体６（例えばボールペン、マーキングペン、シャープペンシル等）が前後方向に移動可能に収容されている。前記各筆記体６は、圧縮コイルスプリングよりなる弾発部材８により後方に付勢されている。
尚、軸筒２内に収容される筆記体６の本数は二本以上であればよく、具体的には、二本、三本、四本、五本、六本等が挙げられ、いずれの場合も横断面でみた際に軸心を中心とした同一円周上に等間隔に配置される。
【００１１】
前記軸筒２は、筆記体６のペン先６１が突出可能な先端開口部４１が軸方向に貫設される先軸４と、該先軸４が軸心周りを回転可能に取り付けられる軸筒本体３（前方内周面に先軸４係合用の突起を有する円筒体である前軸３１と、該前軸３１の後端部に螺合または圧入により取り付けられる円筒状の後軸３２）によって構成される。
前記軸筒２（即ち、軸筒本体３や先軸４）は、ポリカーボネート、ポリエチレン、ＡＢＳ等の合成樹脂や金属により形成される。
【００１２】
前記先軸４は接続部分（即ち、後方開口部）の外周面にリブを備えており、該リブが前軸３１内周の係合突起を乗り越えるように圧入することで接続され、回転自在に係合されている。
また、先端開口部４１は軸筒本体３の軸心に対して偏心する位置に形成されており、先軸４を回転させた際に各筆記体６（横断面で軸筒内に同一円周上に配設される）のペン先６１が前方（先端開口部４１内）から視認できるようになっている。
更に、先軸内壁（内周面）は、後端から先端開口部４１に向かって孔が小さくなるようにテーパー状に形成されており、前記先軸内面（内壁による空間形状）は、軸筒本体３の軸線に対する角度が異なるテーパー面４２を有する略円錐面（略円錐形）となっている。そのため、各筆記体が前進する際にホルダー等のペン先近傍部分と接触して、スムーズに回転できるようになっている。
尚、前記テーパー面４２の角度は、筆記体６（特にペン先近傍）の形状に合わせて前進時にペン先６１先端が接触しないような角度に調整されているため、出没操作を繰り返した場合であっても内面を汚すことなく使用できる。
【００１３】
前記軸筒本体３（後軸３２）の後方の側壁には、複数本（具体的には２本）の前後方向に延びる細長状の窓孔３３が径方向に貫設される。前記二本の窓孔３３は、互いに、軸線に対して対称の位置（三本以上の場合は軸心に対して径方向に均等な位置）に形成される。
また、前記窓孔３３の相互間の側壁内面には、前後方向に延びるリブ等からなる係止壁部が設けられ、ペン先が突出した際に筆記体６が操作体７の後端で係止されるように構成される（図示せず）。
更に、前記後軸３２の窓孔３３の相互間の側壁外面には、クリップを設けることもできる。
【００１４】
前記後軸３２の後端部には、窓孔３３後方を開閉自在にする蓋部５が設けられ、該蓋部５を開放した状態で操作体７に接続された筆記体６の交換が可能な構造となっている。
前記蓋部５の径方向の一端部は、クリップ基部に対してヒンジ部によって回動自在に接続されている。また、前記蓋部５の前方は没入時に筆記体６と連結された操作体７の後端が衝止されるため、係合部分（具体的には軸筒側被係合部と係合するための係合凹部または係合孔部）を形成して容易に開放されないように構成される。
尚、前記蓋部５はヒンジ部により回動自在に接続される構成以外にも、屈曲変形可能な可撓性を有する連結部または薄肉部により一体に接続される構成であってもよいし、回転開放型、着脱型等であってもよい。
【００１５】
前記軸筒内に収容される二本の筆記体６はボールペンレフィルであり、前端にボールが回転可能に抱持されたボールペンチップ（ペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキ等からなるインキ６３が収容され、更に必要に応じて、インキ６３の後端に、インキ６３の消費に伴って前進する高粘度流体からなるインキ追従体６４が充填される。
尚、前記ボールペンチップは、ボールを弾発体等により前方に付勢し、前端縁部の内面にボールを密接させる構成でもよい。また、ボールペンチップは、インキ収容管６２の前端開口部に圧入等により直接取り付けてもよいが、本実施の形態ではペン先ホルダーを介してインキ収容管６２の前端開口部に固着されている。
本実施の形態では筆記体６としてボールペンレフィルを採用しているが、ペン先に繊維や樹脂からなるマーキングペンチップを用いたマーキングペン形態や、シャープペンシル形態等を適用することも可能である。更に、インキ収容管内に繊維収束体を収容することもできる。
【００１６】
前記各筆記体６の後端（即ちインキ収容管６２の後端開口部）には、操作体７が取り付けられる。前記各操作体７は、軸筒２の窓孔３３から外部に突出する操作部７１と、インキ収容管６２後端との接続箇所後方に形成される鍔部７２とを備えており、操作部７１を前方に移動することで前方に接続される筆記体６のペン先６１を突出する。また、前記鍔部７２は、前面で弾発体８の後端を係止しており、ペン先没入時には該鍔部７２が後方へ弾発されることでペン先６１が収納状態となるように構成されている。
尚、前記操作体７は、合成樹脂（例えば、ポリプロピレン、ポリカーボネート、ＡＢＳ、ポリアセタール等）の成形物により得られる。
【００１７】
前記構成からなる多芯筆記具１のペン先突出時の作動状態について図面に従って説明する。
ペン先収納状態（図１）から、一方の操作体７の操作部７１を弾発体８の後方付勢に抗して窓孔３３に沿って前方にスライド操作すると、そのスライド操作された操作体７に接続される筆記体６が前方に移動し、ペン先６１を保持するホルダーが先軸４内壁と接触する。
そのまま操作体７を前進させると、先軸４内壁と接触するホルダーがテーパー面４２に沿って前方に移動する。その際、テーパー面４２の形状（略円錐）に応じて先軸４が回転を始める（図２）。
更に操作体７を前進させると、先端開口部４１が筆記体６（ペン先６１）の軸心延長上に位置するところまで回転すると共に、ペン先６１が先端開口部４１より突出する。その際、操作体７の後端が後軸３２の内壁に形成された係止部に係止され、ペン先突出状態が維持される（図３）。
【００１８】
また、別の操作体７の操作部７１を窓孔３３に沿って前方にスライドすると、先に突出状態にある一方の筆記体６に接続される操作体７が径方向外方に持ち上げられ、後軸内壁の係止部との係止状態が解除されるため、弾発体８の後方付勢によりペン先６１が軸筒２内に没入される。その際、筆記体６後方の操作体７後端が蓋部５前面に当接衝止される。
更に前記操作体７を前進させると、先軸４内壁にホルダーが接触した後、テーパー面４２に沿って前方に移動する。その際、テーパー面４２の形状に応じて先軸４が回転し、先端開口部４１が筆記体６（ペン先６１）の軸心延長上に位置すると共に、ペン先６１が先端開口部４１より突出する。この場合も操作体７の後端が後軸３２の内壁に形成された係止部に係止され、そのペン先突出状態が維持される。
【００１９】
前記実施の形態においては、筆記体の出没機構としてスライド式形態の多芯筆記具について説明したが、軸筒を前述の先軸と軸筒本体とにより構成したもの（先軸回転式）であれば他構造の汎用のもの（例えばノック式や回転繰出式等）を適用することもできる。
前記ノック式は、軸筒後端部や軸筒側面にノック部を有し、該ノック部の押圧により、筆記体のペン先を軸筒先端開口部から出没させる構成を例示でき、前記回転繰出式は、軸筒後部に回転部を有し、該回転部を回すことにより筆記体のペン先を軸筒先端開口部から出没させる構成を例示できる。
【図面の簡単な説明】
【００２０】
【図１】本発明の多芯筆記具の実施の形態のペン先没入状態（非筆記状態）を示す縦断面図及び、該筆記具のＡ−Ａ断面図、Ｂ−Ｂ断面図である。
【図２】図１の多芯筆記具の一つのペン先が突出する際の作動状態を示す縦断面図及び、その際の筆記具のＡ−Ａ断面図、Ｂ−Ｂ断面図である。
【図３】図１の多芯筆記具の一つのペン先が突出した状態（筆記状態）を示す縦断面図及び、その際の筆記具のＡ−Ａ断面図、Ｂ−Ｂ断面図である。
【符号の説明】
【００２１】
１  多芯筆記具
２  軸筒
３  軸筒本体
３１  前軸
３２  後軸
３３  窓孔
４  先軸
４１  先端開口部
４２  テーパー面（内壁）
５  蓋部
６  筆記体
６１  ペン先
６２  インキ収容管
６３  インキ
６４  インキ追従体
７  操作体
７１  操作部
７２  鍔部
８  弾発体（コイルスプリング）
【図１】
2010094918.tif 000003
【図２】
2010094918.tif 000004
【図３】
2010094918.tif 000005